【手続補正書】
【提出日】平成16年8月27日(2004.8.27)
【手続補正１】
【補正対象書類名】明細書
【補正対象項目名】特許請求の範囲
【補正方法】変更
【補正の内容】
【特許請求の範囲】
【請求項１】
機器本体と、
この機器本体を身体に着脱可能に装着させる装着手段と、
前記機器本体が身体に装着されているか否かを検知する身体装着検知手段と、
この身体装着検知手段の検知結果に応じて、認証機能を制御する制御手段とを備えたことを特徴とする身体装着機器。
【請求項２】
前記制御手段は、前記身体装着検知手段により前記機器本体が装着されていないことが検知された場合、前記認証機能の少なくとも一部を制限することを特徴とする請求項１記載の身体装着機器。
【請求項３】
前記装着手段は、身体の腕に前記機器本体を装着させる装着部材であり、前記身体装着検知手段は、前記機器本体が前記身体の腕の装着されているか否かを検知するものであることを特徴とする請求項１記載の身体装着機器。
【請求項４】
前記機器本体は、認証用データを入力する入力手段と、この入力手段により入力された前記認証用データを記憶する記憶手段と、この記憶手段に記憶された前記認証用データを出力する出力手段とを備え、
前記制御手段は、前記身体装着検出手段により、前記機器本体が装着されていることが検知されていることを条件として、前記入力された認証用データを前記記憶手段に記憶させるとともに前記出力手段から前記認証用データを出力させ、身体に装着されていないことが検知された場合には、前記記憶手段の記憶を消去することを特徴とする請求項１記載の身体装着機器。
【請求項５】
前記認証用データは、本人認証用のコードデータであることを特徴とする請求項４記載の身体装着機器。
【請求項６】
前記機器本体は、外部機器と通信する通信手段と、前記記憶手段に記憶されている認証用データと前記入力手段により入力された認証用データとを比較照合する比較照合手段とをさらに備え、前記制御手段は、前記身体装着検出手段により、前記機器本体が装着されていることが検知されている場合であって、前記比較照合手段により前記両認証用データの一致性が得られた場合には、前記通信手段の動作を含む内部機能の発現を許容することを特徴とする請求項４記載の前記の身体装着機器。
【請求項７】
前記機器本体は、外部機器と通信する通信手段をさらに備え、
前記制御手段は、前記外部機器から送信されて前記通信手段により受信された認証結果データが否定的なものである場合には、前記通信手段の動作を含む内部機能の少なくとも一部の発現を制限することを特徴とする請求項４記載の前記の身体装着機器。
【請求項８】
前記機器本体は、第１の認証用データを入力する入力手段と、この入力手段により入力された前記第１の認証用データを記憶する記憶手段と、第２の認証用データを出力する出力手段とを備え、
前記制御手段は、前記身体装着検出手段により、前記機器本体が装着されていることが検知されている場合であって、前記記憶手段に第１の認証用データが記憶されている場合に、前記出力手段から前記第２の認証用データを出力させ、身体に装着されていないことが検知された場合には、前記第２の認証用データの出力を停止させることを特徴とする請求項１記載の身体装着機器。
【請求項９】
前記出力手段による前記第２の認証用データの出力に応答して外部機器から送信される認証検査結果データを受信する受信手段をさらに備え、前記制御手段は、前記身体装着検出手段により前記機器本体が装着されていないことが検知されている場合、又は前記受信手段により受信された認証検査結果データが否定的なものである場合、前記出力手段を停止させるとともに、前記記憶手段の記憶を消去することを特徴とする請求項８記載の身体装着機器。
【請求項１０】
前記第２の認証用データは、外部機器との接続用の認証符号データであることを特徴とする請求項８又は９記載の身体装着機器。
【請求項１１】
前記第２の認証用データは、前記第１の認証用データとは異なる認証符号データであることを特徴とする請求項８又は９記載の身体装着機器。
【請求項１２】
前記第２の認証用データは、前記第１の認証用データと同一の符号データ、第１の認証用データを含む符号データ、第１の認証用データを元に生成された符号データのいずれかであることを特徴とする請求項８又は９記載の身体装着機器。
【請求項１３】
前記機器本体は、外部機器やネットワークをリモート制御するための信号を生成する信号生成手段と、この信号生成手段により生成された信号を送信する送信手段とを備え、
前記制御手段は、前記身体装着検出手段により前記機器本体が装着されていることが検知されていることを条件として、前記送信手段の動作を許容することを特徴とする請求項１記載の身体装着機器。
【請求項１４】
前記機器本体は、通信端末と通信する通信手段を備え、
前記制御手段は、前記身体装着検出手段により前記機器本体が装着されていることが検知されていることを条件として、前記通信手段の動作を許容することを特徴とする請求項１記載の身体装着機器。
【請求項１５】
前記機器本体は、外部機器と通信接続する通信接続手段と、この通信接続手段が接続動作するに必要な設定データを記憶する記憶手段とを備え、
前記制御手段は、前記身体装着検出手段により前記機器本体が装着されていることが検知されていることを条件として、前記記憶手段に記憶されている設定データに基づき前記通信接続手段を動作させることを特徴とする請求項１記載の身体装着機器。
【請求項１６】
前記機器本体は、装着者自身の人体の生体データを検出する生体データ検出手段と、この生体データ検出手段により検出された前記生体データを外部機器に送信する送信手段とを備え、
前記制御手段は、前記身体装着検出手段により前記機器本体が装着されていることが検知されていることを条件として、前記送信手段を動作させることを特徴とする請求項１記載の身体装着機器。
【請求項１７】
前記生体データに基づき認証を行う認証手段をさらに備え、
前記制御手段は、前記身体装着検出手段により前記機器本体が装着されていることが検知されていることを条件として、前記認証手段を動作させることを特徴とする請求項１６記載の身体装着機器。
【請求項１８】
身体装着機器と外部機器とで構成され、
前記身体装着機器は、機器本体と、この機器本体を身体に着脱可能に装着させる装着手段と、前記機器本体が身体に装着されているか否かを検知する身体装着検知手段と、前記外部機器と通信する通信手段と、前記身体装着検出手段により、前記機器本体が装着されていることが検知されている場合に、前記通信手段を動作させて認証用のデータを送信させる制御手段とを備え、
前記外部機器は、前記身体装着機器と通信する通信手段と、この通信手段を介して受信した前記認証データに基づき認証の可否を決定する認証手段と、この認証手段の認証結果を前記通信手段を介して送信する制御手段とを有することを特徴とする認証システム。
【請求項１９】
前記身体装着機器の制御手段は、前記通信手段により受信された認証結果が否定的なものである場合には、前記通信手段の動作を含む内部機能の少なくとも一部の動作を制限することを特徴とする請求項１８記載の前記の認証システム。
【請求項２０】
前記機器本体は、第１の認証用データを入力する入力手段とこの入力手段により入力された前記第１の認証用データを記憶する記憶手段と、第２の認証用データを前記通信手段を介して出力する出力手段とを備え、
前記制御手段は、前記身体装着検出手段により、前記機器本体が装着されていることが検知されている場合であって、前記記憶手段に第１の認証用データが記憶されている場合に、前記出力手段から前記第２の認証用データを出力させ、身体に装着されていないことが検知された場合には、前記第２の認証用データの出力を停止させ、前記外部機器の認証手段は、前記第２の認証用データに基づき認証の可否を決定することを特徴とする請求項１８記載の認証システム。
【手続補正２】
【補正対象書類名】明細書
【補正対象項目名】０００５
【補正方法】変更
【補正の内容】
【０００５】
【課題を解決するための手段】
前記課題を解決するために請求項１記載の発明にかかる身体装着機器にあっては、機器本体と、この機器本体を身体に着脱可能に装着させる装着手段と、前記機器本体が身体に装着されているか否かを検知する身体装着検知手段と、この身体装着検知手段の検知結果に応じて、認証機能を制御する制御手段とを備えている。したがって、ユーザが装置本体を装着していない放置された状態では、内蔵されている機能を制限することができ、これにより煩雑性を伴うことなくセキュリティが確保される。
【手続補正３】
【補正対象書類名】明細書
【補正対象項目名】０００６
【補正方法】変更
【補正の内容】
【０００６】
また、請求項２記載の発明にかかる身体装着機器にあっては、前記制御手段は、前記身体装着検知手段により前記機器本体が装着されていないことが検知された場合、前記認証機能の少なくとも一部を制限する。したがって、機能の一部が制限されることにより、放置された状態での機能発生による不利が回避される。
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】変更
【補正の内容】
【００２９】
また、請求項１５記載の発明にかかる身体装着機器にあっては、前記機器本体は、外部機器と通信接続する通信接続手段と、この通信接続手段が接続動作するに必要な設定データを記憶する記憶手段とを備え、前記制御手段は、前記身体装着検出手段により前記機器本体が装着されていることが検知されていることを条件として、前記記憶手段に記憶されている設定データに基づき前記通信接続手段を動作させる。したがって、ユーザが使用していない放置状態で他人により外部機器に接続されて通信される不正を抑制することができる。
【手続補正１５】
【補正対象書類名】明細書
【補正対象項目名】００３０
【補正方法】変更
【補正の内容】
【００３０】
また、請求項１６記載の発明にかかる身体装着機器にあっては、前記機器本体は、装着者自身の人体の生体データを検出する生体データ検出手段と、この生体データ検出手段により検出された前記生体データを外部機器に送信する送信手段とを備え、前記制御手段は、前記身体装着検出手段により前記機器本体が装着されていることが検知されていることを条件として、前記送信手段を動作させる。したがって、当該ユーザの生体データを適正かつ容易に送信することができる。
【手続補正１６】
【補正対象書類名】明細書
【補正対象項目名】００３１
【補正方法】変更
【補正の内容】
【００３１】
また、請求項１７記載の発明にかかる身体装着機器にあっては、前記生体データに基づき認証を行う認証手段をさらに備え、前記制御手段は、前記身体装着検出手段により前記機器本体が装着されていることが検知されていることを条件として、前記認証手段を動作させる。したがって、生体データに基づき認証を行うことにより適正な認証が可能となる。
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】削除
【補正の内容】
【手続補正２０】
【補正対象書類名】明細書
【補正対象項目名】００３５
【補正方法】削除
【補正の内容】
【手続補正２１】
【補正対象書類名】明細書
【補正対象項目名】００３６
【補正方法】削除
【補正の内容】
【手続補正２２】
【補正対象書類名】明細書
【補正対象項目名】００３７
【補正方法】削除
【補正の内容】
【手続補正２３】
【補正対象書類名】明細書
【補正対象項目名】００３８
【補正方法】削除
【補正の内容】
【手続補正２４】
【補正対象書類名】明細書
【補正対象項目名】００３９
【補正方法】削除
【補正の内容】
【手続補正２５】
【補正対象書類名】明細書
【補正対象項目名】００４０
【補正方法】削除
【補正の内容】
【手続補正２６】
【補正対象書類名】明細書
【補正対象項目名】００４１
【補正方法】削除
【補正の内容】
【手続補正２７】
【補正対象書類名】明細書
【補正対象項目名】００４２
【補正方法】削除
【補正の内容】
【手続補正２８】
【補正対象書類名】明細書
【補正対象項目名】００４３
【補正方法】削除
【補正の内容】
【手続補正２９】
【補正対象書類名】明細書
【補正対象項目名】００４４
【補正方法】削除
【補正の内容】
【手続補正３０】
【補正対象書類名】明細書
【補正対象項目名】００４５
【補正方法】変更
【補正の内容】
【００４５】
また、請求項１８記載の発明にかかる認証システムにあっては、身体装着機器と外部機器とで構成され、前記身体装着機器は、機器本体と、この機器本体を身体に着脱可能に装着させる装着手段と、前記機器本体が身体に装着されているか否かを検知する身体装着検知手段と、前記外部機器と通信する通信手段と、前記身体装着検出手段により、前記機器本体が装着されていることが検知されている場合に、前記通信手段を動作させて認証用のデータを送信させる制御手段とを備え、前記外部機器は、前記身体装着機器と通信する通信手段と、この通信手段を介して受信した前記認証データに基づき認証の可否を決定する認証手段と、この認証手段の認証結果を前記通信手段を介して送信する制御手段とを有する。したがって、装着されずに放置されている状態で、身体装着機器を他人が使用しても認証用のデータが外部機器送信されることがなく、これによりセキュリティが確保される。
【手続補正３１】
【補正対象書類名】明細書
【補正対象項目名】００４６
【補正方法】変更
【補正の内容】
【００４６】
また、請求項１９記載の発明にかかる身体装着機器にあっては、前記身体装着機器の制御手段は、前記通信手段により受信された認証結果が否定的なものである場合には、前記通信手段の動作を含む内部機能の少なくとも一部の発現を制限する。したがって、外部機器との交信により、認証結果が否定的なものである場合には、装着していても内部機能の一部の発現が制限され、これにより他人が装着していた場合のセキュリティが確保される。
【手続補正３２】
【補正対象書類名】明細書
【補正対象項目名】００４７
【補正方法】変更
【補正の内容】
【００４７】
また、請求項２０記載の発明にかかる認証システムにあっては、前記機器本体は、第１の認証用データを入力する入力手段と、この入力手段により入力された前記第１の認証用データを記憶する記憶手段と、第２の認証用データを前記通信手段を介して出力する出力手段とを備え、前記制御手段は、前記身体装着検出手段により、前記機器本体が装着されていることが検知されている場合であって、前記記憶手段に第１の認証用データが記憶されている場合に、前記出力手段から前記第２の認証用データを出力させ、身体に装着されていないことが検知された場合には、前記第２の認証用データの出力を停止させ、前記外部機器の認証手段は、前記第２の認証用データに基づき認証の可否を決定する。
【手続補正３３】
【補正対象書類名】明細書
【補正対象項目名】００４９
【補正方法】削除
【補正の内容】
【手続補正３４】
【補正対象書類名】明細書
【補正対象項目名】００５０
【補正方法】削除
【補正の内容】
【手続補正３５】
【補正対象書類名】明細書
【補正対象項目名】００５１
【補正方法】削除
【補正の内容】
【手続補正３６】
【補正対象書類名】明細書
【補正対象項目名】００５２
【補正方法】削除
【補正の内容】
【手続補正３７】
【補正対象書類名】明細書
【補正対象項目名】００５３
【補正方法】削除
【補正の内容】
【手続補正３８】
【補正対象書類名】明細書
【補正対象項目名】００５４
【補正方法】削除
【補正の内容】
【手続補正３９】
【補正対象書類名】明細書
【補正対象項目名】００５５
【補正方法】削除
【補正の内容】
【手続補正４０】
【補正対象書類名】明細書
【補正対象項目名】００５６
【補正方法】削除
【補正の内容】
【手続補正４１】
【補正対象書類名】明細書
【補正対象項目名】００５７
【補正方法】削除
【補正の内容】
【手続補正４２】
【補正対象書類名】明細書
【補正対象項目名】００５８
【補正方法】削除
【補正の内容】
【手続補正４３】
【補正対象書類名】明細書
【補正対象項目名】００５９
【補正方法】削除
【補正の内容】
【手続補正４４】
【補正対象書類名】明細書
【補正対象項目名】００６０
【補正方法】削除
【補正の内容】
【手続補正４５】
【補正対象書類名】明細書
【補正対象項目名】００６１
【補正方法】削除
【補正の内容】
【手続補正４６】
【補正対象書類名】明細書
【補正対象項目名】００６２
【補正方法】削除
【補正の内容】
【手続補正４７】
【補正対象書類名】明細書
【補正対象項目名】０１５８
【補正方法】変更
【補正の内容】
【０１５８】
【発明の効果】
以上説明したように、請求項１記載の発明によれば、ユーザが装置本体を装着していない放置された状態では、認証機能を制限することができ、これにより煩雑性を伴うことなくセキュリティが確保することができる。また、請求項２記載の発明によれば、認証機能の一部が制限されることにより、放置された状態での機能発生による不利を回避することができる。また、請求項３記載の発明によれば、腕時計を装着する感覚で、携帯に不便さを感ずることなく手軽に使用することが可能となる。また、請求項４記載の発明によれば、この身体装着機器を装着している場合には、認証用データを記憶手段に記憶させたり、出力させることが可能となるが、身体に装着されていない場合には、前記記憶手段に記憶されている認証のデータが消去されることにより、セキュリティを確保することができる。
【手続補正４８】
【補正対象書類名】明細書
【補正対象項目名】０１６３
【補正方法】削除
【補正の内容】
【手続補正４９】
【補正対象書類名】明細書
【補正対象項目名】０１６４
【補正方法】削除
【補正の内容】
【手続補正５０】
【補正対象書類名】明細書
【補正対象項目名】０１６５
【補正方法】削除
【補正の内容】
【手続補正５１】
【補正対象書類名】明細書
【補正対象項目名】０１６６
【補正方法】変更
【補正の内容】
【０１６６】
また、請求項１５記載の発明によれば、ユーザが使用していない放置状態で他人により外部機器に接続されて通信される不正を抑制することができる。また、請求項２６記載の発明によれば、当該ユーザの生体データを適正かつ容易に送信することができる。
【手続補正５２】
【補正対象書類名】明細書
【補正対象項目名】０１６７
【補正方法】変更
【補正の内容】
【０１６７】
また、請求項１７記載の発明によれば、生体データに基づき認証を行うことにより適正な認証が可能となる。
【手続補正５３】
【補正対象書類名】明細書
【補正対象項目名】０１６８
【補正方法】削除
【補正の内容】
【手続補正５４】
【補正対象書類名】明細書
【補正対象項目名】０１６９
【補正方法】削除
【補正の内容】
【手続補正５５】
【補正対象書類名】明細書
【補正対象項目名】０１７０
【補正方法】変更
【補正の内容】
【０１７０】
また、請求項１８記載の発明によれば、装着されずに放置されている状態で、身体装着機器を他人が使用しても認証用のデータが外部機器送信されることがなく、これによりセキュリティを確保することができる。また、請求項１９記載の発明によれば、外部機器との交信により、認証結果が否定的なものである場合には、装着していても内部機能の一部の発現が制限され、これにより他人が装着していた場合のセキュリティを確保することができる。また、請求項２０記載の発明によれば、第２の認証用データが出力されるためには、前記機器本体が装着されていなければならないことから、置き忘れた場合には第２の認証用データが出力されないことにより、セキュリティが確保できる認証システムを構築することができる。
【手続補正５６】
【補正対象書類名】明細書
【補正対象項目名】０１７１
【補正方法】削除
【補正の内容】
【手続補正５７】
【補正対象書類名】明細書
【補正対象項目名】０１７２
【補正方法】削除
【補正の内容】
【手続補正５８】
【補正対象書類名】明細書
【補正対象項目名】０１７３
【補正方法】削除
【補正の内容】